(57)【要約】      （修正有）【課題】普及型バックルと同等の大きさのバックルをリバーシブルとして使用できるように帯状体に連結する連結具を提供する。【解決手段】帯状体１のピン孔から遠い方の端部に装着される凸型連結具３と、バックル２のピン軸１１に近い方の端部に配設される凹型連結具４とを有し、凸型連結具の端側面に、帯状体の幅方向に延伸する直線状突起５を設け、その直線状突起の両側の端側面３１に夫々係止孔を１個ずつ設けると共に、直線状突起の先端をＴ字状に拡幅し、凸型連結具の端側面に対向する凹型連結具の対向側面に、帯状体の幅方向に延伸する直線状溝を設け、その直線状溝の底部を拡幅することによって直線状突起を収納可能とし、直線状溝の一端を開放しかつ他端を閉塞して、直線状溝の閉塞側の対向側面に係止用突起を１個取り付けて、係止用突起を対向側面から突出させ、必要に応じて凹型連結具の内部に埋没させるための弾性体を配設する。【選択図】図１
0003223855.tif 000002
【実用新案登録請求の範囲】
【請求項１】
使用者の腰部に衣服を保持するために使用する衣服用ベルトの帯状体とバックルとを連結する連結具であって、
前記帯状体のピン孔から遠い方の端部に装着される凸型連結具と、前記バックルのピン軸に近い方の端部に配設される凹型連結具と、を有し、
前記凸型連結具の端側面に、前記帯状体の幅方向に延伸する直線状突起を設け、該直線状突起の両側の前記端側面に夫々係止孔を１個ずつ設けると共に、前記直線状突起の先端をＴ字状に拡幅し、
前記凸型連結具の前記端側面に対向する前記凹型連結具の対向側面に、前記帯状体の幅方向に延伸する直線状溝を設け、該直線状溝の底部を拡幅することによって前記直線状突起を収納可能とし、前記直線状溝の一端を開放しかつ他端を閉塞して、前記直線状溝の閉塞側の前記対向側面に係止用突起を１個取り付けて、該係止用突起を前記対向側面から突出させ、さらに必要に応じて前記凹型連結具の内部に埋没させるための弾性体を配設することを特徴とする連結具。
【請求項２】
前記係止用突起が球体であり、前記弾性体がバネであることを特徴とする請求項１に記載の連結具。
【考案の詳細な説明】
【技術分野】
【０００１】
本考案は、衣服（たとえばズボン等）に装着して使用者の腰部に衣服を保持するために使用する衣服用ベルトの帯状体とバックルとを連結する連結具に関するものであり、詳しくは、使用者が着用した状態で帯状体の両面をいずれも外側に向けることが可能（いわゆるリバーシブル）な衣服用ベルトの連結具に関するものである。
【背景技術】
【０００２】
一般に、衣服用ベルトは、使用者の腰部に巻き付けるのに十分な長さを有する柔軟な帯状体と、その帯状体を使用者の腰部に締め付けて保持するバックルとを備えている。従来から広く普及している衣服用ベルトは、バックルの構造上の制約を受けて、使用者が帯状体の片面のみ（常に同じ面）を外側に露出して着用するので、帯状体の他方の面（すなわち使用者の身体に当接する側の面）には装飾等が施されていない。以下では、帯状体の片面のみを常に外側に露出させて使用するバックルを普及型バックルと記す。
【０００３】
このような普及型バックルに対して、衣服用ベルトの利便性を高める観点から、帯状体の両面をいずれも外側に露出させて着用できるバックルが提案されている（特許文献１参照）。つまり、帯状体の両面に夫々異なる装飾を施したり、異なる色調に染色して、特許文献１に開示されるようなバックルを取り付ければ、衣服の色彩やデザインに応じて、衣服用ベルトの色調（あるいは装飾）を選択して使用することが可能となる。
【０００４】
しかし特許文献１に開示されたバックル（図５参照）は、使用者が手作業で着脱するのが難しいので、衣服用ベルトの製造工程で帯状体１にバックル２を取り付けた完成品として販売される。したがって、使用者が衣服用ベルトを購入した後で帯状体１とバックル２の組み合わせを変更することは不可能であり、リバーシブルとして使用する際に帯状体１の表裏２面のうちの片面を選択して使用（すなわち二者択一）せざるを得ない。
【０００５】
また、図５に示すバックルは、普及型バックルのほぼ２倍の大きさであるから、使用者の腰部が圧迫され、とりわけ食事中あるいは着席中など、腹部に不快感を覚える原因になる。
【先行技術文献】
【特許文献】
【０００６】
【特許文献１】実用新案登録第3176745号公報
【考案の概要】
【考案が解決しようとする課題】
【０００７】
本考案は、従来の技術の問題点を解消し、使用者が衣服用ベルトの帯状体とバックルを手作業で容易に着脱できるように連結し、しかも普及型バックルと同等の大きさのバックルをリバーシブルとして使用できるように帯状体に連結する連結具を提供することを目的とする。
【課題を解決するための手段】
【０００８】
本考案者は、普及型バックルに工夫を加えて様々なバックルを試作し、それらのバックルを帯状体に取り付けて、得られた衣服用ベルトをリバーシブルとして使用する実験を行なった。つまり、帯状体の表裏２面のうちの片面を使用者の腰部の外側に露出させて着用した後、その衣服用ベルトを腰部から外して、帯状体の他方の面を外側に露出させるために帯状体を反転させる操作（以下、表裏反転操作という）を繰り返し行なった。その結果、下記(1)〜(3)の手順で表裏反転操作を行なった場合、すなわち
(1)バックルと帯状体を分離する、
(2)バックルの表裏を反転させる、あるいは、帯状体の表裏を反転させる、
(3)バックルと帯状体を連結する
という手順で行なった場合に、最も円滑に表裏反転操作を行なうことができた。そして、この手順で表裏反転操作を行なうことによって、
(a)普及型バックルと同等の大きさのバックルを帯状体に取り付けてリバーシブルとして使用できる、
(b)表裏反転操作を容易に繰り返し手作業で行なうことができる
ことを見出した。
【０００９】
さらに、バックルと帯状体を分離して別々に販売すれば、
(c)使用者が、たとえばバックルを１個と帯状体を２本（あるいはバックルを２個と帯状体を１本）等の組み合わせで購入することができるので、バックルのデザインと帯状体の色調（あるいは装飾）を様々に組み合わせて着用できる
という効果も得られる。つまり、特許文献１に開示された衣服用ベルトが帯状体の表裏２面のうちの片面を使用する二者択一の選択であったのに対して、上記(1)〜(3)の手順で表裏反転操作を行なえる衣服用ベルトは多種多様な選択が可能となる。
【００１０】
次に本考案者は、バックルと帯状体の分離と連結（すなわち上記(1)と(3)）を手作業で行なうための技術について検討した。そして、バックルを帯状体の幅方向に摺動させて分離と連結を行なうことによって、
(d)ネジやピンを使用しないので、工具を使用せず容易に手作業で行なうことができる、
(e)衣服用ベルトを腰部に締め付けて保持した時に帯状体の長手方向に生じる引っ張り力に対抗でき、ひいてはバックルの脱落を防止できる
という知見を得た。
【００１１】
本考案は、このような知見に基づいてなされたものである。
すなわち本考案は、使用者の腰部に衣服を保持するために使用する衣服用ベルトの帯状体とバックルとを連結する連結具であって、帯状体のピン孔から遠い方の端部に装着される凸型連結具と、バックルのピン軸に近い方の端部に配設される凹型連結具と、を有し、凸型連結具の端側面に、帯状体の幅方向に延伸する直線状突起を設け、その直線状突起の両側の端側面に夫々係止孔を１個ずつ設けると共に、直線状突起の先端をＴ字状に拡幅し、凸型連結具の端側面に対向する凹型連結具の対向側面に、帯状体の幅方向に延伸する直線状溝を設け、その直線状溝の底部を拡幅することによって直線状突起を収納可能とし、直線状溝の一端を開放しかつ他端を閉塞して、直線状溝の閉塞側の対向側面に係止用突起を１個取り付けて、係止用突起を対向側面から突出させ、さらに必要に応じて凹型連結具の内部に埋没させるための弾性体を配設する連結具である。
本発明の連結具においては、係止用突起が球体であり、弾性体がバネであることが好ましい。
【考案の効果】
【００１２】
本考案によれば、使用者が衣服用ベルトの帯状体とバックルを手作業で容易に着脱できるように連結し、しかも普及型バックルと同等の大きさのバックルをリバーシブルとして使用できるように帯状体に連結する連結具を得ることができるので、産業上格段の効果を奏する。
【図面の簡単な説明】
【００１３】
【図１】本考案の連結具を使用した衣服用ベルトの例を模式的に示す平面図である。
【図２】(a)は図１中の凸型連結具の側面図であり、(b)は(a)中のＡ−Ａ矢視の断面図である。
【図３】(a)は図１中の凹型連結具の側面図であり、(b)は(a)中のＢ−Ｂ矢視の断面図である。
【図４】図１中の係止用突起の例を模式的に示す断面図である。
【図５】従来のリバーシブルの衣服用ベルトで使用するバックルの例を模式的に示す斜視図である。
【考案を実施するための形態】
【００１４】
図１は、本考案の連結具を使用した衣服用ベルトの帯状体１とバックル２を分離した例を模式的に示す平面図である。本考案の連結具は、凸型連結具３と凹型連結具４で構成される。
【００１５】
まず、図１、２を参照して凸型連結具３について説明する。図２(a)は図１中の凸型連結具の側面図であり、(b)は(a)中のＡ−Ａ矢視の断面図である。
【００１６】
凸型連結具３の端部の側面31（以下、端側面という）には、帯状体１の幅方向に延伸する直線状の突起５（以下、直線状突起という）が設けられる。その直線状突起５の長さは凸型連結具３よりも短くして、直線状突起５の両側の端側面31上に係止孔６を夫々１個ずつ（合計２個）設ける。また、直線状突起５の先端はＴ字状に拡幅する。
【００１７】
次に、図１、３を参照して凹型連結具４について説明する。図３(a)は図１中の凹型連結具の側面図であり、(b)は(a)中のＢ−Ｂ矢視の断面図である。
【００１８】
凹型連結具４は、バックル２のピン９を回動させるためのピン軸11に近い側の端部、すなわち上記の凸型連結具３の端側面31に対向する凹型連結具４の側面41（以下、対向側面という）に配設される。凹型連結具４には、帯状体１の幅方向に延伸する直線状の溝７（以下、直線状溝という）が底部を拡幅して設けられる。その直線状溝７の長さは凹型連結具４よりも短くして、直線状溝７の一端を帯状体１の幅方向に開放し、直線状溝７の他端は閉塞する。その直線状溝７の閉塞した側の対向側面41上に係止用突起８を１個取り付けて、対向側面41から突出させる。
【００１９】
このようにして帯状体１に装着した凸型連結具３とバックル２に配設した凹型連結具４を用いて帯状体１とバックル２を連結する際には、凹型連結具４の直線状溝７内に凸型連結具３の直線状突起５を挿入する。具体的には、直線状溝７の開放された側の開口部から直線状突起５を挿入して、帯状体１の幅方向に摺動させる。そして直線状突起５は、直線状溝７の閉塞された側の壁部に当接して停止する。
【００２０】
この時、凹型連結具４の対向側面41から突出した係止用突起８が、凸型連結具３の端側面31に設けられた係止孔６のいずれか片方に嵌め合わされるので、直線状突起５が直線状溝７の閉塞された側の壁部に当接した状態で安定して保持される。
【００２１】
ただし直線状突起５が直線状溝７内を摺動する間は、係止用突起８が対向側面41から突出しないように、凹型連結具４の内部に埋没させる必要がある。そこで、係止用突起８を必要に応じて適宜、対向側面41から突出させ、また、埋没させるために、弾性体10を使用する。たとえば図４に示すように、球体の係止用突起８を弾性体10（たとえばバネ等）で支持して、球体の頂部を対向側面41から突出させる。
【００２２】
帯状体１とバックル２を連結した衣服用ベルトを、使用者が腰部に締め付けて保持すると、帯状体１の長手方向に引っ張り力が生じるが、凸型連結具３の直線状突起５の拡幅部が凹型連結具４の直線状溝７の拡幅部に嵌め込まれているので、その引っ張り力に対抗して、帯状体１とバックル２を連結して保持することができる。さらに、係止用突起８が弾性体10の弾力によって係止孔６に嵌め合わされているので、使用者が姿勢を変えても凸型連結具３と凹型連結具４のズレを防止できる。
【００２３】
つまり本考案の連結具で帯状体１とバックル２を連結すれば、衣服用ベルトとして何ら支障なく使用できる。
【００２４】
衣服用ベルトの表裏反転操作を行なう際には、使用者が衣服用ベルトを腰部から外した後、直線状溝７の開放された側の開口部から直線状突起５を抜き取って、帯状体１とバックル２を分離させる。次に、帯状体１の表裏を反転させる。あるいは、バックル２の表裏を反転させても良い。そして、直線状突起５を直線状溝７内に挿入して、直線状溝７の閉塞された側の壁部に当接して停止するまで摺動させる。その結果、係止用突起８が弾性体10の弾力によって係止孔６に嵌め合わされる。
【００２５】
以上に説明した通り、本考案の連結具を使用すれば、リバーシブルの衣服用ベルトとして使用するための表裏反転操作を容易に行なうことが可能である。
【００２６】
ここでは帯状体に凸型連結具を装着し、バックルに凹型連結具を配設する例について説明したが、帯状体に凹型連結具を配設し、バックルに凸型連結具を装着しても良い。
【実施例】
【００２７】
本考案の連結具を備えた衣服用ベルトを１ケ月にわたって使用した。その間、毎日２回ずつ表裏反転操作を行なったが、指の痛みや負傷は皆無で、容易に表裏反転操作を行なうことができた。
【００２８】
さらに、１ケ月の使用期間が経過した後、連結具を目視で点検したところ、破損や損傷は認められなかった。
【符号の説明】
【００２９】
１  帯状体
２  バックル
３  凸型連結具
31  端側面
４  凹型連結具
41  対向側面
５  直線状突起
６  係止孔
７  直線状溝
８  係止用突起
９  ピン
10  弾性体
11  ピン軸
【図１】
0003223855.tif 000003
【図２】
0003223855.tif 000004
【図３】
0003223855.tif 000005
【図４】
0003223855.tif 000006
【図５】
0003223855.tif 000007